(57)【要約】【課題】やわらかいばね部を有するコネクタを提供する。【解決手段】第１プリント基板と第２プリント基板とを電気的に接続するコネクタ１０は、第１プリント基板に接触可能な接触部５１と、第２プリント基板に接続可能な接続部５２と、接触部５１と接続部５２とを連結する弾性ばね部５３とを備える。弾性ばね部５３は、開ループ状の連結部５３３を介して連結される第１ばね部と第２ばね部とを有する。【選択図】図３
2015079709.tif 000002
【特許請求の範囲】
【請求項１】
第１接続対象物と第２接続対象物とを電気的に接続するコネクタにおいて、
前記第１接続対象物に接触可能な接触部と、
前記第２接続対象物に接続可能な接続部と、
前記接触部と前記接続部とを連結する弾性ばね部とを備え、
前記弾性ばね部は、開ループ状の連結部と、前記連結部を介して連結される第１ばね部と第２ばね部とを有し、
前記接触部が前記第１接続対象物に押されて前記弾性ばね部が弾性変形するときに前記接触部が移動する接触部移動方向と同じ方向へ前記連結部が移動可能である
ことを特徴とするコネクタ。
【請求項２】
前記第１ばね部と前記第２ばね部とは、前記接触部を通る前記接触部移動方向と平行な仮想直線上に配置され、
前記連結部は前記仮想直線から前記接触部移動方向と直交する直交方向へずれている
ことを特徴とする請求項１記載のコネクタ。
【請求項３】
前記第１ばね部、前記第２ばね部及び前記接続部のうちの少なくとも１つに一体に設けられ、前記第１ばね部、前記第２ばね部及び前記連結部を覆う覆い部を備えている
ことを特徴とする請求項２記載のコネクタ。
【請求項４】
前記覆い部は角筒状である
ことを特徴とする請求項３記載のコネクタ。
【請求項５】
前記覆い部は円筒状である
ことを特徴とする請求項３記載のコネクタ。
【請求項６】
前記覆い部は、前記接触部に接触する覆い部側接触部を有する
ことを特徴とする請求項３〜５のいずれか１項記載のコネクタ。
【請求項７】
前記覆い部は２つの前記覆い部側接触部を有する
ことを特徴とする請求項６記載のコネクタ。
【請求項８】
前記覆い部は、前記接触部が前記第１接続対象物に押されて前記弾性ばね部が弾性変形するときに、前記第２ばね部が前記覆い部から外部へ突出しないように前記第２ばね部を受け止めるストッパを有する
ことを特徴とする請求項３〜７のいずれか１項に記載のコネクタ。
【請求項９】
前記覆い部は、前記第２接続対象物に表面実装可能な平坦面を有する
ことを特徴とする請求項３〜８のいずれか１項に記載のコネクタ。
【請求項１０】
前記覆い部は、前記仮想直線に沿って延びる突出部を有する
ことを特徴とする請求項３〜９のいずれか１項に記載のコネクタ。
【請求項１１】
前記第１ばね部は、
前記接触部を支持し、前記接触部移動方向と交差する交差方向へ延びる第１支持アーム部と、
前記第１支持アーム部に連結される円弧状の第１曲げ部と、
前記第１曲げ部に連結され、前記第１支持アーム部と反対方向へ延びる第１中継アーム部とを有する
ことを特徴とする請求項１〜１０のいずれか１項に記載のコネクタ。
【請求項１２】
前記第２ばね部は、
前記接続部を支持し、前記交差方向へ延びる第２支持アーム部と、
前記第２支持アーム部の一端に連結される円弧状の第２曲げ部と、
前記第２曲げ部に連結され、前記第２支持アーム部と反対方向へ延びる第２中継アーム部とを有し、
前記連結部は、
前記第１中継アーム部に連結される円弧状の第３曲げ部と、前記第３曲げ部に連結され、前記接触部移動方向に沿って延びる連結部側アーム部と、
前記連結部側アーム部に連結される円弧状の第４曲げ部と、
前記第２中継アーム部に連結される円弧状の第５曲げ部と、
前記第４曲げ部と前記第５曲げ部とを連結する直線アーム部とを有し、
前記覆い部が前記第２支持アーム部の他端に連結されている
ことを特徴とする請求項１１記載のコネクタ。
【請求項１３】
前記接触部がＵ字形に折り曲げられた形状であり、前記接触部の先端部が前記Ｕ字形の底部であることを特徴とする請求項１〜１２のいずれか１項に記載のコネクタ。
【請求項１４】
前記接続部が前記第２接続対象物に接触して電気的に接続可能であることを特徴とする請求項１〜１３のいずれか１項に記載のコネクタ。
【請求項１５】
前記接続部が前記第２接続対象物に半田付けされて電気的に接続可能であることを特徴とする請求項１〜１３のいずれか１項に記載のコネクタ。
【発明の詳細な説明】
【技術分野】
【０００１】
この発明はコネクタに関する。
【背景技術】
【０００２】
従来、プリント配線板のアースパターンと接地導体との導通を図る導電部材が知られている(下記特許文献１参照)。この導電部材を図１９〜図２１に基づいて説明する。
【０００３】
導電部材９０１は、薄板状の金属材料を折り曲げて形成され、２つの接合部９１０、２つの側方部９２０、１つのコンタクト部９３０を備えている。
【０００４】
２つのほぼ長方形形状の側方部９２０の上部は２つの連接部９５０で連接されている。２つの接合部９１０は２つの側方部９２０の下部をそれぞれ内側へほぼ垂直に折り曲げて形成されたものである(図２０参照)。接合部９１０の下面が、プリント配線板ＰＷＢの回路パターンＣＰに半田付けされる接合面９１０Ａである。
【０００５】
一方の側方部９２０の端縁部から、舌片９２１がほぼ垂直に内側へ折り曲げられて形成されている。舌片９２１の下端部９２１Ａ（図１９参照）からコンタクト部９３０が形成されている。コンタクト部９３０は、舌片９２１の下端部９２１Ａから折り曲げられて斜め上方へ向かう腕部９３１と、腕部９３１から接合部９１０の反対側へ折り返されて形成された突出部９３２とを有している。突出部９３２は接地導体ＧＣに接触する部分である（図２１参照）。突出部９３２はほぼ円弧形状であり、側方部９２０の上方へ突出する。連接部９５０によって、突出部９３２の端部９３２Ｂの接合部９１０から離れる方向への変位が規制される。
【０００６】
接合部９１０の接合面９１０Ａがプリント配線板ＰＷＢの回路パターンＣＰに半田付けされることによって、導電部材９０１がプリント配線板ＰＷＢに実装される。
【０００７】
導電部材９０１が実装されたプリント配線板ＰＷＢを、ケースなどの接地導体ＧＣの所定位置に固定することにより、接地導体ＧＣにコンタクト部９３０の突出部９３２が接触する。このとき、図２１に示すように、腕部９３１などが弾性変形し、突出部９３２が接合部９１０へ近づく方向へ移動するので、腕部９３１の復帰力によって突出部９３２は接地導体ＧＣの表面に押し付けられる。その結果、プリント配線板ＰＷＢの回路パターンＣＰが接地導体ＧＣに確実に電気的に接続される。
【先行技術文献】
【特許文献】
【０００８】
【特許文献１】特開２００３−１６８５１０号公報（段落０００１、００１５〜００１８、００２０、００２１、図２、図４等）
【発明の概要】
【発明が解決しようとする課題】
【０００９】
上述のように、突出部９３２を接地導体ＧＣに押し付ける腕部９３１は、舌片９２１の下端部９２１Ａから折り曲げられて斜め上方へまっすぐ向かう単純な形状であり、ばねとして機能する腕部９３１の長さは短い。
【００１０】
したがって、導電部材９０１を用いてプリント配線板ＰＷＢの回路パターンＣＰを接地導体ＧＣに電気的に接続させるとき、腕部９３１が硬く、動きが滑らかではなかった。
【００１１】
この発明はこのような事情に鑑みてなされたもので、その課題は、やわらかいばね部を有するコネクタを提供することである。
【課題を解決するための手段】
【００１２】
上述の課題を解決するため請求項１記載の発明は、第１接続対象物と第２接続対象物とを電気的に接続するコネクタにおいて、前記第１接続対象物に接触可能な接触部と、前記第２接続対象物に接続可能な接続部と、前記接触部と前記接続部とを連結する弾性ばね部とを備え、前記弾性ばね部は、開ループ状の連結部と、前記連結部を介して連結される第１ばね部と第２ばね部とを有し、前記接触部が前記第１接続対象物に押されて前記弾性ばね部が弾性変形するときに前記接触部が移動する接触部移動方向と同じ方向へ前記連結部が移動可能であることを特徴とする。
【００１３】
請求項２記載の発明は、請求項１記載のコネクタにおいて、前記第１ばね部と前記第２ばね部とは、前記接触部を通る前記接触部移動方向と平行な仮想直線上に配置され、前記連結部は前記仮想直線から前記接触部移動方向と直交する直交方向へずれていることを特徴とする。
【００１４】
請求項３記載の発明は、請求項２記載のコネクタにおいて、前記第１ばね部、前記第２ばね部及び前記接続部のうちの少なくとも１つに一体に設けられ、前記第１ばね部、前記第２ばね部及び前記連結部を覆う覆い部を備えていることを特徴とする。
【００１５】
請求項４記載の発明は、請求項３記載のコネクタにおいて、前記覆い部は角筒状であることを特徴とする。
【００１６】
請求項５記載の発明は、請求項３記載のコネクタにおいて、前記覆い部は円筒状であることを特徴とする。
【００１７】
請求項６記載の発明は、請求項３〜５のいずれか１項に記載のコネクタにおいて、前記覆い部は、前記接触部に接触する覆い部側接触部を有することを特徴とする。
【００１８】
請求項７記載の発明は、請求項６記載のコネクタにおいて、前記覆い部は２つの前記覆い部側接触部を有することを特徴とする。
【００１９】
請求項８記載の発明は、請求項３〜７のいずれか１項に記載のコネクタにおいて、前記覆い部は、前記接触部が前記第１接続対象物に押されて前記弾性ばね部が弾性変形するときに、前記第２ばね部が前記覆い部から外部へ突出しないように前記第２ばね部を受け止めるストッパを有することを特徴とする。
【００２０】
請求項９記載の発明は、請求項３〜８のいずれか１項に記載のコネクタにおいて、前記覆い部は、前記第２接続対象物に表面実装可能な平坦面を有することを特徴とする。
【００２１】
請求項１０記載の発明は、請求項３〜９のいずれか１項に記載のコネクタにおいて、前記覆い部は、前記仮想直線に沿って延びる突出部を有することを特徴とする。
【００２２】
請求項１１記載の発明は、請求項１〜１０のいずれか１項に記載のコネクタにおいて、前記第１ばね部は、前記接触部を支持し、前記接触部移動方向と交差する交差方向へ延びる第１支持アーム部と、前記第１支持アーム部に連結される円弧状の第１曲げ部と、前記第１曲げ部に連結され、前記第１支持アーム部と反対方向へ延びる第１中継アーム部とを有することを特徴とする。
【００２３】
請求項１２記載の発明は、請求項１１記載のコネクタにおいて、前記第２ばね部は、前記接続部を支持し、前記交差方向へ延びる第２支持アーム部と、前記第２支持アーム部の一端に連結される円弧状の第２曲げ部と、前記第２曲げ部に連結され、前記第２支持アーム部と反対方向へ延びる第２中継アーム部とを有し、前記連結部は、前記第１中継アーム部に連結される円弧状の第３曲げ部と、前記第３曲げ部に連結され、前記接触部移動方向に沿って延びる連結部側アーム部と、前記連結部側アーム部に連結される円弧状の第４曲げ部と、前記第２中継アーム部に連結される円弧状の第５曲げ部と、前記第４曲げ部と前記第５曲げ部とを連結する直線アーム部とを有し、前記覆い部が前記第２支持アーム部の他端に連結されていることを特徴とする。
【００２４】
請求項１３記載の発明は、請求項１〜１２のいずれか１項に記載のコネクタにおいて、前記接触部がＵ字形に折り曲げられた形状であり、前記接触部の先端部が前記Ｕ字形の底部であることを特徴とする。
【００２５】
請求項１４記載の発明は、請求項１〜１３のいずれか１項に記載のコネクタにおいて、前記接続部が前記第２接続対象物に接触して電気的に接続可能であることを特徴とする。
【００２６】
請求項１５記載の発明は、請求項１〜１３のいずれか１項に記載のコネクタにおいて、前記接続部が前記第２接続対象物に半田付けされて電気的に接続可能であることを特徴とする。
【発明の効果】
【００２７】
この発明によれば、やわらかいばね部を有するコネクタを提供することができる。
【図面の簡単な説明】
【００２８】
【図１】この発明の第１実施形態に係るコネクタの斜視図である。
【図２】図１に示すコネクタを斜め下方から見たときの斜視図である。
【図３】図１に示すコネクタの断面図である。
【図４】図１に示すコネクタから覆い部を取り除いた状態を示す斜視図である。
【図５】図１に示すコネクタの接触部が覆い部内に引っ込んだ状態を示す断面図である。
【図６】図１に示すコネクタの変形例を斜め下方から見たときの斜視図である。
【図７】この発明の第２実施形態に係るコネクタの斜視図である。
【図８】図７に示すコネクタの断面図である。
【図９】この発明の第３実施形態に係るコネクタの斜視図である。
【図１０】図９に示すコネクタから覆い部を取り除いた状態を示す斜視図である。
【図１１】図９に示すコネクタから覆い部を取り除いた部分を別の角度から見たときの斜視図である。
【図１２】図９に示すコネクタから覆い部を取り除いた部分が弾性変形した状態を示す斜視図である。
【図１３】この発明の第４実施形態に係るコネクタの斜視図である。
【図１４】図１３に示すコネクタを斜め下方から見たときの斜視図である。
【図１５】図１３に示すコネクタの断面図である。
【図１６】図１３に示すコネクタの接触部が覆い部内に引っ込んだ状態を示す断面図である。
【図１７】図１３に示すコネクタの展開図である。
【図１８】図１３に示すコネクタを第２プリント基板に実装した状態を示す斜視図である。
【図１９】従来例の導電部材の側面図である。
【図２０】図１９の導電部材の正面図である。
【図２１】図１９の導電部材の縦断面図である。
【発明を実施するための形態】
【００２９】
以下、この発明の実施の形態を図面に基づいて説明する。
【００３０】
図１〜図３に示すように、第１実施形態のコネクタ１０は接触部５１と接続部５２と弾性ばね部５３と覆い部５４とを備えている。コネクタ１０は、図示しない第１プリント基板（第１接続対象物）と図示しない第２プリント基板（第２接続対象物）とで挟まれたとき、第１プリント基板と第２プリント基板とを電気的に接続する。コネクタ１０はプレス装置を用いて金属板（図示せず）に打ち抜き加工、曲げ加工等を施すことによって形成されている。なお、第１プリント基板によってコネクタ１０の接触部５１が押されて、第１プリント基板と接触部５１とが接触する方向を接触部移動方向（以下、接触方向という）Ｃとする（図５参照）。
【００３１】
接触部５１は金属板をＵ字形に折り曲げて形成され、Ｕ字形の底部を第１プリント基板との接点部として用いている。接触部５１はコネクタ１０が第１プリント基板と第２プリント基板とで挟まれたとき、第１プリント基板のパッドに接触する。
【００３２】
弾性ばね部５３が弾性変形していないとき（図３参照）、接触方向Ｃと直交する直交方向Ａにおける接触部５１の一端部５１Ａは第１覆い部側接触部５４６に接触し、直交方向Ａにおける接触部５１の他端部５１Ｂ（副接触部）が第２覆い部側接触部５４７に接触する。弾性ばね部５３が弾性変形したとき（図５参照）、接触部５１の一端部５１Ａは第１覆い部側接触部５４６に接触し、接触部５１の他端部５１Ｂが第２覆い部側接触部５４７に接触する。このように、接触部５１は第１覆い部側接触部５４６及び第２覆い部側接触部５４７に常に接触する。
【００３３】
接続部５２は凸形球面状であり、接触部５１と対向する側に位置している。接続部５２は、コネクタ１０が第１プリント基板と第２プリント基板とで挟まれたとき、第２プリント基板のパッドに接触する。
【００３４】
弾性ばね部５３はコネクタ１０が第１プリント基板と第２プリント基板とで挟まれたとき、図５に示すように、弾性変形して圧縮される。
【００３５】
図３〜図５に示すように、弾性ばね部５３はほぼＪ字形の第１ばね部５３１とほぼＵ字形の第２ばね部５３２とほぼＣ字形の連結部５３３とで構成されている。
【００３６】
第１ばね部５３１は第１支持アーム部５３１Ａと第１曲げ部５３１Ｂと第１中継アーム部５３１Ｃとを有する。第１支持アーム部５３１Ａの一端部は接触部５１に連結されており、接触方向Ｃと直交する直交方向Ａに沿って延びている。なお、第１支持アーム部５３１Ａは接触方向Ｃと交差する交差方向（図３において接触部５１から斜め下方向、図示せず）に延びてもよい。第１曲げ部５３１Ｂは第１支持アーム部５３１Ａの他端部から仮想直線（接触部５１を通り接触方向Ｃと平行な仮想直線）Ｉに向かって折り返されたほぼＵ字形の部分である。第１中継アーム部５３１Ｃの一端部は第１曲げ部５３１Ｂに連結されている。弾性ばね部５３が弾性変形していないとき、第１中継アーム部５３１Ｃは仮想直線Ｉと斜めに交差するように延びている。
【００３７】
第２ばね部５３２は第２支持アーム部５３２Ａと第２曲げ部５３２Ｂと第２中継アーム部５３２Ｃとを有する。第２支持アーム部５３２Ａは直交方向Ａに沿って延びており、その中央部で接続部５２を支持している。なお、第２支持アーム部５３２Ａは接触方向Ｃと交差する交差方向（図３において正面部５４１の下端部から斜め上方向、図示せず）に延びてもよい。第２曲げ部５３２Ｂは第２支持アーム部５３２Ａの一端部から仮想直線Ｉに向かって折り返されたほぼＵ字形の部分である。第２中継アーム部５３２Ｃの一端部は第２曲げ部５３２Ｂに連結されている。第２中継アーム部５３２Ｃは直交方向Ａに沿って延びている。なお、第２中継アーム部５３２Ｃは接触方向Ｃと交差する交差方向（図３において第２曲げ部５３２Ｂから斜め上方向、図示せず）に延びてもよい。
【００３８】
連結部５３３は、第３曲げ部５３３Ａと連結部側アーム部５３３Ｂと第４曲げ部５３３Ｃと第５曲げ部５３３Ｄと直線アーム部５３３Ｅとを有する。第３曲げ部５３３Ａは第１中継アーム部５３１Ｃの他端部から接触部５１の方へ向かって折り曲げられた円弧状の部分である。連結部側アーム部５３３Ｂの一端部は第３曲げ部５３３Ａに連結されている。連結部側アーム部５３３Ｂは接触方向Ｃに対してやや斜めの方向へ延びている。なお、連結部側アーム部５３３Ｂは接触方向Ｃと平行な方向に沿って延びてもよい。第４曲げ部５３３Ｃは連結部側アーム部５３３Ｂの他端部から接続部５２の方へ向かって折り返された円弧状の部分である。第５曲げ部５３３Ｄは第２中継アーム部５３２Ｃの他端部から接触部５１の方へ向かって折り曲げられた円弧状の部分である。直線アーム部５３３Ｅは第４曲げ部５３３Ｃと第５曲げ部５３３Ｄとを連結する。直線アーム部５３３Ｅは接触方向Ｃに沿って延びている。
【００３９】
図１、図２に示すように、覆い部５４はほぼ角筒状であり、弾性ばね部５３を覆うとともに、接触部５１及び接続部５２の一部を覆っている。
【００４０】
覆い部５４は正面部５４１と背面部５４２と左側面部５４３と右側面部５４４と上面部５４５と第１覆い部側接触部５４６（図３参照）と第２覆い部側接触部５４７とを有する。
【００４１】
正面部５４１の一側部に左側面部５４３が連なり、正面部５４１の他側部に右側面部５４４が連なる。正面部５４１の下端部は第２支持アーム部５３２Ａの他端部に連結されている。背面部５４２は第１背面板５４２Ａと第２背面板５４２Ｂとで構成されている。第１背面板５４２Ａは左側面部５４３の一側部に連なる。第２背面板５４２Ｂは右側面部５４４に連なる。第１背面板５４２Ａと第２背面板５４２Ｂとは突き合されている。上面部５４５は第１上面板５４５Ａと第２上面板５４５Ｂとで構成されている。第１上面板５４５Ａは右側面部５４４の上端部に連なる。第２上面板５４５Ｂは右側面部５４４の上端部に連なる。第１上面板５４５Ａと第２上面板５４５Ｂとは直交方向Ａで離隔し、第１上面板５４５Ａと第２上面板５４５Ｂとの間に覆い部５４の内部空間に通じる開口５４８が形成されている。開口５４８を通じて接触部５１の先端部は上面部５４５から突出する。覆い部５４の下端部側の開口の一部分が第２ばね部５３２の第２支持アーム部５３２Ａによって塞がれる。
【００４２】
第１覆い部側接触部５４６は第１上面板５４５Ａの接触部５１側の端部から第２ばね部５３２に向かって接触方向Ｃに沿って延びている。
【００４３】
第２覆い部側接触部５４７は第２上面板５４５Ｂの接触部５１側の端部から第２ばね部５３２に向かって接触方向Ｃに沿って延びている。
【００４４】
図４の弾性ばね部５３を上方又は下方から見たときの弾性ばね部５３の平面形状（図示せず）はほぼ長方形である。この長方形の長手方向はＡと平行である。
【００４５】
図３〜図５に示すように、接触部５１と第１ばね部５３１と第２ばね部５３２と接続部５２とは仮想直線Ｉ上に並んでいるが、連結部５３３は仮想直線Ｉから直交方向Ａへ離れており、連結部５３３は仮想直線Ｉ上に無い。
【００４６】
第１曲げ部５３１Ｂ、第２曲げ部５３２Ｂ、第４曲げ部５３３Ｃ及び第５曲げ部５３３Ｄはそれぞれ仮想直線Ｉから直交方向Ａへ同じ距離（同じ距離とは、ほぼ同じ距離であると言うことを示し同一でなくてもよい、以下同じ）だけ離れている。
【００４７】
コネクタ１０を用いて第１プリント基板と第２プリント基板とを接続するには、まず、第２プリント基板にコネクタ１０を実装する。このとき、樹脂製のフレーム（図示せず）を用いてコネクタ１０の第１プリント基板に対する位置決めと固定とを行う。
【００４８】
次に、コネクタ１０の上方に第１プリント基板を配置し、その後、下方へ下ろす。接触部５１が第１プリント基板によって押されると、弾性ばね部５３が圧縮され、連結部５３３が下方へ移動するとともに、接触部５１が覆い部５４内に引っ込む。このとき弾性ばね部５３の復帰力により、接触部５１が第１プリント基板のパッドに強く接触し、接続部５２が第２プリント基板のパッドに強く接触する。その結果、コネクタ１０により第１プリント基板と第２プリント基板とが電気的に接続される。
【００４９】
この実施形態によれば、弾性ばね部５３が開ループ状（この実施形態ではＣ字形）の連結部５３３を有するので、弾性ばね部５３のばね長が長く、その分、弾性ばね部５３がやわらかくなる。
【００５０】
また、連結部５３３が仮想直線Ｉから直交方向Ａへ離れており、仮想直線Ｉ上において第１ばね部５３１と第２ばね部５３２との間に連結部５３３が無いので、コネクタ１０を低背化できる。
【００５１】
更に、第１プリント基板によって接触部５１が押し下げられるとき、接触部５１は第１覆い部側接触部５４６及び第２覆い部側接触部５４７によって接触方向Ｃと平行な方向へガイドされるが、第１曲げ部５３１Ｂ、第２曲げ部５３２Ｂ、第４曲げ部５３３Ｃ及び第５曲げ部５３３Ｄが仮想直線Ｉから直交方向Ａへ同じ距離に位置しているので、第１覆い部側接触部５４６、第２覆い部側接触部５４７と接触部５１との間に発生する摩擦力は小さい。
【００５２】
また、コネクタ１０は第１プリント基板と第２プリント基板とで挟まれる部分に位置するコネクタ１０の少なくとも４面を覆う覆い部５４を有するので、覆い部５４を有さないコネクタ（図示せず）に比べコネクタ１０の使用時における取扱いが容易である。
【００５３】
更に、覆い部５４が第１覆い部側接触部５４６及び第２覆い部側接触部５４７を有するので、覆い部５４を介しても電流を流すことができ、その分電流の通路断面積（又は、通路面積）を大きくすることができるので、電流容量を大きくすることができるとともに、インダクタンスを小さくして高周波特性の性能を向上させることができる。
【００５４】
次に、第１実施形態の第１変形例を図６を用いて説明する。
【００５５】
第１実施形態と共通する部分については同一符号を付してその説明を省略する。以下、第１実施形態との主な相違部分についてだけ説明する。
【００５６】
第１実施形態のコネクタ１０では、上述のように、覆い部５４が第２ばね部５３２に連結されているので、覆い部５４を接続部として用いることができる。第１実施形態のコネクタ１０の変形例のコネクタ１１０では、覆い部１５４を積極的に接続部として利用することができるように、覆い部１５４の左側面部１５４３と右側面部１５４４とにそれぞれ突出部１５４３Ａ，１５４４Ａを設けた。
【００５７】
突出部１５４３Ａは矩形の平板状であり、左側面部１５４３の下端部に連結され、接触方向Ｃ（仮想直線Ｉ、図３参照）に沿って延びている。
【００５８】
突出部１５４４Ａは矩形の平板状であり、右側面部１５４４の下端部に連結され、接触方向Ｃ（仮想直線Ｉ、図３参照）に沿って延びている。
【００５９】
この変形例によれば、第１実施形態のコネクタ１０と同様の作用効果を奏するとともに、突出部１５４３Ａ，１５４４Ａを用いてコネクタ１０と第２プリント基板（突出部に対応させて位置決め穴を設ける、図示せず）との位置決めを行なったり、あるいは第２プリント基板にスルーホール（図示せず）を設けコネクタ１１０を第２プリント基板に半田付け等で実装することができる。
【００６０】
次に、第２実施形態を図７、図８を用いて説明する。
【００６１】
第１実施形態と共通する部分については同一符号を付してその説明を省略する。以下、第１実施形態との主な相違部分についてだけ説明する。
【００６２】
第２実施形態のコネクタ２１０の接触部２５１は金属板をＵ字形に折り曲げて形成されている。
【００６３】
第２実施形態のコネクタ２１０の覆い部２５４は円筒状である。覆い部２５４は正面部２５４１と左側面部２５４３と右側面部２５４４と上面部２５４５と覆い部側接触部２５４６とで構成されている。
【００６４】
正面部２５４１は細長い板状で平坦面２５４１Ａを有している。正面部２５４１の一側部には左側面部２５４３が連なり、正面部２５４１の他側部には右側面部２５４４が連なっている。左側面部２５４３はほぼ半円筒状である。右側面部２５４４はほぼ半円筒状である。上面部２５４５は正面部２５４１の上端部に連結されている。上面部２５４５は切欠部２５４５Ａを有する。切欠部２５４５Ａを通じて接触部２５１の先端部は上面部２５４５から突出している。
【００６５】
コネクタ２１０は、接触部２５１に対してＡ方向の力であって接触部２５１を正面部２５４１から遠ざける向きの力が加わるおそれがない場所で用いられる。このため、コネクタ２１０では接触部２５１を２つの覆い部側接触部で挟みつける必要がない。したがって、コネクタ２１０では覆い部側接触部２５４６が一つだけ採用されている。
【００６６】
覆い部側接触部２５４６は、上面部２５４５から第２ばね部５３２に向かって接触方向Ｃに沿って延びるように曲がっている。
【００６７】
第２実施形態のコネクタ２１０によれば、第１実施形態のコネクタ１０と同様の作用効果を奏する。
【００６８】
なお、覆い部２５４が円筒状であるので、接触部２５１に対してＡ方向の力が加わるおそれがない場所でコネクタ２１０を用いるときには、第２プリント基板に実装する複数のコネクタ２１０の向きを一定の方向へ揃える必要がなく、コネクタ２１０の実装作業が簡単になる。また、第２実施形態のコネクタ２１０を垂直基板間の接続用のコネクタとして用いることができ、その場合には平坦面２５４１Ａを第２プリント基板へ実装する際の半田付け部、即ち接続部５２として用いることができる。
【００６９】
次に、第３実施形態を図９〜図１２を用いて説明する。
【００７０】
第１実施形態と共通する部分については同一符号を付してその説明を省略する。以下、第１実施形態との主な相違部分についてだけ説明する。
【００７１】
第３実施形態のコネクタ３１０の接触部３５１は副接触部５１Ｂ（図４参照）を有しておらず、単純なＵ字形である。また、コネクタ３１０は、弾性ばね部３５３の第２ばね部３５３２と連結部３５３３の構成の点で、第１実施形態のコネクタ１０と異なる。
【００７２】
第３実施形態のコネクタ３１０の覆い部３５４は円筒状である。覆い部３５４は正面部３５４１と左側面部３５４３と右側面部３５４４と上面部３５４５と覆い部側接触部３５４６とで構成されている。
【００７３】
正面部３５４１は細長い板状で平坦面３５４１Ａを有している。正面部３５４１の一側部には左側面部３５４３が連なり、正面部３５４１の他側部には右側面部３５４４が連なっている。左側面部３５４３はほぼ半円筒状である。右側面部３５４４はほぼ半円筒状である。右側面部３５４４は平坦面３５４４Ａを有する。上面部３５４５は正面部３５４１の上端部に連結されている。上面部３５４５は切欠部３５４５Ａを有する。切欠部３５４５Ａを通じて接触部３５１は上面部３５４５から突出している。
【００７４】
コネクタ２１０と同様に、コネクタ３１０は、接触部３５１に対してＡ方向の力が加わるおそれがない場所で用いられる。
【００７５】
覆い部側接触部３５４６は、上面部３５４５から第２ばね部５３２に向かって接触方向Ｃに沿って延びるように曲がっている。
【００７６】
弾性ばね部３５３は第１ばね部５３１と第２ばね部３５３２と連結部３５３３とを有する。
【００７７】
第２ばね部３５３２は第２支持アーム部５３２Ａと第２曲げ部３５３２Ｂと第２中継アーム部５３２Ｃとを有する。
【００７８】
第２曲げ部３５３２Ｂは湾曲部３５３２Ｄと第１延長部３５３２Ｅと第２延長部３５３２Ｆとで構成されている。湾曲部３５３２Ｄは半円筒状である。第１延長部３５３２Ｅの一端部は湾曲部３５３２Ｄの一側部に連結され、第１延長部３５３２Ｅの他端部は第２支持アーム部５３２Ａの一端部に連結されている。第２延長部３５３２Ｆの一端部は湾曲部３５３２Ｄの他側部に連結され、第２延長部３５３２Ｆの他端部は第２中継アーム部５３２Ｃの一端部に連結されている。
【００７９】
連結部３５３３は第３曲げ部５３３Ａと連結部側アーム部５３３Ｂと第４曲げ部５３３Ｃと第１直線アーム部３５３３Ｆと第５曲げ部３５３３Ｇと第２直線アーム部３５３３Ｈと向き変更部３５３３Ｊとを有する。
【００８０】
第１直線アーム部３５３３Ｆは、平板状であり、第４曲げ部５３３Ｃに連結され、接触方向Ｃに沿って延びている。第５曲げ部３５３３Ｇは第２中継アーム部５３２Ｃの他端部に連結されている。第２直線アーム部３５３３Ｈは、平板状であり、第５曲げ部３５３３Ｇに連結され、接触方向Ｃに沿って延びている。向き変更部３５３３Ｊは、第２直線アーム部３５３３Ｈの板厚方向が第１直線アーム部３５３３Ｆの板厚方向に対して直角になるように、第２直線アーム部３５３３Ｈを第１直線アーム部３５３３Ｆに連結する。
【００８１】
仮想直線Ｉに沿って第１ばね部５３１を上方又は下方から見たときの平面形状（図示せず）はほぼ長方形である。仮想直線Ｉに沿って第２ばね部３５３２を上方又は下方から見たときの平面形状（図示せず）はほぼ長方形である。第１ばね部５３１の平面形状の長手方向と第２ばね部３５３２の平面形状の長手方向とは直交している。したがって、覆い部３５４内の空間を第１ばね部５３１及び第２ばね部３５３２を収容するスペースとして有効に利用することができる。
【００８２】
第３実施形態のコネクタ３１０によれば、第１、２実施形態のコネクタ１０，２１０と同様の作用効果を奏するとともに、平坦面３５４１Ａ，３５４４Ａを第２プリント基板へ実装する際の半田付け部として用いることができる。即ち、第３実施形態のコネクタ３１０を垂直基板間の接続用のコネクタとして用いることができ、その場合には平坦面３５４１Ａ，３５４４Ａを第２プリント基板へ実装する際の接続部５２として用いることができる。
【００８３】
また、向き変更部３５３３Ｊを採用して、上述のように第１ばね部５３１の平面形状の長手方向と第２ばね部３５３２の平面形状の長手方向とを直交させることにより、覆い部３５４内の空間を無駄なく利用できるようにしたので、覆い部３５４を大きくせずに、弾性ばね部３５３のばねとしての長さをより長くすることができる。
【００８４】
次に、第４実施形態を図１３〜図１８を用いて説明する。
【００８５】
第１実施形態と共通する部分については同一符号を付してその説明を省略する。以下、第１実施形態との主な相違部分についてだけ説明する。
【００８６】
図１３〜図１６に示すように、接触部４５１は金属板をＵ字形に折り曲げて形成されている。接触部４５１は半球状の凸部４５１Ｃを有する。
【００８７】
接続部４５２は平板状であり、覆い部４５４の一部として形成されている。
【００８８】
覆い部４５４は正面部５４１と背面部４５４２と左側面部４５４３と右側面部４５４４とストッパ４５４９とで構成されている。
【００８９】
背面部４５４２は平板状である。左側面部４５４３は第１左側面板４５４３Ａと第２左側面板４５４３Ｂとで構成されている。第１左側面板４５４３Ａは背面部４５４２の一側部に連なっている。第１左側面板４５４３Ａの下端部には、接続部４５２となる半田付け部４５４３Ｃが形成されている。第２左側面板４５４３Ｂは正面部５４１の一側部に連なっている。第２左側面板４５４３Ｂは第１左側面板４５４３Ａに突き合わされる。
【００９０】
右側面部４５４４は平板状であり、右側面部４５４４の一側部は正面部５４１の他側部に連結されている。右側面部４５４４の他側部は背面部４５４２の他側部に連結されている。右側面部４５４４の下端部には、接続部４５２となる半田付け部４５４４Ｃが形成されている。
【００９１】
ストッパ４５４９は背面部４５４２の下端に連結され、正面部５４１の方に向けて折り曲げられている。
【００９２】
接触部４５１が第１プリント基板によって押され、弾性ばね部５３が弾性変形したとき、ストッパ４５４９は第２支持アーム部５３２Ａを支持する。これにより、第２ばね部５３２が覆い部４５４から突出しない。その結果、接触部４５１が第１プリント基板によって押圧されたとき、弾性ばね部５３が確実に圧縮され、弾性ばね部５３に確実にばね力が発生する。
【００９３】
次に、コネクタ４１０の製造方法の一例を説明する。
【００９４】
まず、プレス装置（図示せず）により、金属板（図示せず）を図１７に示す展開形状に打ち抜く。
【００９５】
次に、叩出しにより、凸部４５１Ｃを形成する。接触部４５１と第１支持アーム部５３１Ａとの境界部分、第１曲げ部５３１Ｂ、第３曲げ部５３３Ａ、第４曲げ部５３３Ｃ、第５曲げ部５３３Ｄ、第２曲げ部５３２Ｂ及び第２支持アーム部５３２Ａと正面部５４１との境界部分に、それぞれプレス装置により曲げ加工を施し、接触部４５１と弾性ばね部５３とを形成する。
【００９６】
その後、第２左側面板４５４３Ｂと正面部５４１との境界部分、正面部５４１と右側面部４５４４との境界部分、右側面部４５４４と背面部４５４２との境界部分、及び背面部４５４２と第１左側面板４５４３Ａとの境界部分に、それぞれプレス装置により曲げ加工を施し、覆い部４５４を形成するとともに弾性ばね部５３を覆い部４５４内に収容する。
【００９７】
次に、プレス装置により第１覆い部側接触部５４６及び第２覆い部側接触部５４７に曲げ加工を施す。
【００９８】
最後に、第１上面板５４５Ａと右側面部４５４４との境界部分、及び第２上面板５４５Ｂと右側面部４５４４との境界部分に、それぞれプレス加工により曲げ加工を施し、第１上面板５４５Ａと第２上面板５４５Ｂとを形成する。
【００９９】
以上の工程により、コネクタ４１０が製造される。
【０１００】
図１８に示すように、半田付けによる第２プリント基板８０に対するコネクタ４１０の実装の態様には３つの態様がある。
【０１０１】
第１の実装の態様は、覆い部４５４の正面部５４１又は背面部４５４２を第２プリント基板８０のパッド８１に半田付けする態様である。
【０１０２】
第２の実装の態様は、覆い部４５４の半田付け部４５４４Ｃ，４５４３Ｃを第２プリント基板８０の対のパッド８２に半田付けする態様である。
【０１０３】
第３の実装の態様は、覆い部４５４の左側面部４５４３又は右側面部４５４４を第２プリント基板８０のパッド８３に半田付けする態様である。
【０１０４】
この実施形態によれば、第１実施形態のコネクタ１０と同様の作用効果を奏するとともに、覆い部４５４がストッパ４５４９を有するので、第２ばね部５３２を第２プリント基板８０で支える必要が無く、その結果、覆い部４５４の正面部５４１、背面部４５４２、左側面部４５４３及び右側面部４５４４のいずれも半田付け実装できるので接続部４５２として用いることができる。更に、左側面部４５４３、右側面部４５４４にそれぞれ半田付け部４５４３Ｃ，４５４４Ｃが形成されているので、半田付け部４５４３Ｃ，４５４４Ｃを利用して第２プリント基板８０に実装することもできる。即ち、角筒状の覆い部４５４の内、接触部４５１が設けられた面を除く５面を接続部４５２として用いることができる。
【０１０５】
なお、上述の実施形態のコネクタ１０，１１０，２１０，３１０，４１０は覆い部５４，１５４，２５４，３５４，４５４を備えているが、覆い部５４，１５４，２５４，３５４，４５４を採用しなくてもよい。
【０１０６】
また、上述の実施形態では、第２ばね部５３２，３５３２に覆い部５４，１５４，２５４，３５４，４５４が連結されているが、第１ばね部５３１や接続部５２，４５２に覆い部５４，１５４，２５４，３５４，４５４を連結してもよい。
【符号の説明】
【０１０７】
１０，１１０，２１０，３１０，４１０：コネクタ
５１，２５１，３５１，４５１：接触部
５１Ａ：接触部５１の一端部
５１Ｂ：接触部５１の他端部（副接触部）
４５１Ｃ：凸部
５２，４５２：接続部
５３，３５３：弾性ばね部
５３１：第１ばね部
５３１Ａ：第１支持アーム部
５３１Ｂ：第１曲げ部
５３１Ｃ：第１中継アーム部
５３２，３５３２：第２ばね部
５３２Ａ：第２支持アーム部
５３２Ｂ，３５３２Ｂ：第２曲げ部
５３２Ｃ：第２中継アーム部
３５３２Ｄ：湾曲部
３５３２Ｅ：第１延長部
３５３２Ｆ：第２延長部
５３３，３５３３：連結部
５３３Ａ：第３曲げ部
５３３Ｂ：連結部側アーム部
５３３Ｃ：第４曲げ部
５３３Ｄ：第５曲げ部
５３３Ｅ：直線アーム部
３５３３Ｆ：第１直線アーム部
３５３３Ｇ：第５曲げ部
３５３３Ｈ：第２直線アーム部
３５３３Ｊ：向き変更部
５４，１５４，２５４，３５４，４５４：覆い部
５４１，２５４１，３５４１：正面部
２５４１Ａ，３５４１Ａ：平坦面
５４２，４５４２：背面部
５４２Ａ：第１背面板
５４２Ｂ：第２背面板
５４３，１５４３，２５４３，３５４３，４５４３：左側面部
１５４３Ａ：突出部
４５４３Ａ：第１左側面板
４５４３Ｂ：第２左側面板
４５４３Ｃ：半田付け部
５４４，１５４４，２５４４，３５４４，４５４４：右側面部
１５４４Ａ：突出部
３５４４Ａ：平坦面
４５４４Ｃ：半田付け部
５４５，２５４５，３５４５：上面部
５４５Ａ：第１上面板
５４５Ｂ：第２上面板
２５４５Ａ，３５４５Ａ：切欠部
５４６：第１覆い部側接触部
５４７：第２覆い部側接触部
２５４６，３５４６：覆い部側接触部
５４８：開口
４５４９：ストッパ
８０：第２プリント基板（第２接続対象物）
８１：パッド
８２：パッド
８３：パッド
Ａ：直交方向
Ｃ：接触方向（接触部移動方向）
Ｉ：仮想直線
【図１】
2015079709.tif 000003
【図２】
2015079709.tif 000004
【図３】
2015079709.tif 000005
【図４】
2015079709.tif 000006
【図５】
2015079709.tif 000007
【図６】
2015079709.tif 000008
【図７】
2015079709.tif 000009
【図８】
2015079709.tif 000010
【図９】
2015079709.tif 000011
【図１０】
2015079709.tif 000012
【図１１】
2015079709.tif 000013
【図１２】
2015079709.tif 000014
【図１３】
2015079709.tif 000015
【図１４】
2015079709.tif 000016
【図１５】
2015079709.tif 000017
【図１６】
2015079709.tif 000018
【図１７】
2015079709.tif 000019
【図１８】
2015079709.tif 000020
【図１９】
2015079709.tif 000021
【図２０】
2015079709.tif 000022
【図２１】
2015079709.tif 000023